(57)【要約】【課題】グループ通話の受信端末における音声信号の再生に関する処理を適切に決定する技術を提供する。【解決手段】入力部７０は、所定のグループへの音声信号の送信要求を受けつける。決定部７４は、入力部７０において送信要求を入力すると、所定のグループに属する複数の端末装置から、送信要求を出力した端末装置を除いた受信対象の端末装置と、所定グループに非所属の端末装置との間の距離をもとに、受信対象の端末装置における音声信号の再生に関する処理を決定する。出力部７６は、決定部７４において決定した内容を出力する。【選択図】図４
2018148330.tif 000002
【特許請求の範囲】
【請求項１】
所定のグループへの音声信号の送信要求を受けつける入力部と、
所定のグループに属する複数の端末装置から、送信要求を出力した端末装置を除いた受信対象の端末装置と、所定グループに非所属の端末装置との間の距離をもとに、受信対象の端末装置における音声信号の再生に関する処理を決定する決定部と、
を備えることを特徴とする決定装置。
【請求項２】
前記決定部は、受信対象の端末装置における前記音声信号の再生に関する処理として、音声信号を再生するために当該音声信号を受信すべき受信対象の端末装置を決定することを特徴とする請求項１に記載の決定装置。
【請求項３】
前記決定部は、受信対象の端末装置と、所定グループに非所属の端末装置との間の距離としきい値との比較結果をもとに、前記音声信号を受信すべき受信対象の端末装置を決定することを特徴とする請求項２に記載の決定装置。
【請求項４】
前記決定部は、受信対象の端末装置に設定されている音声信号の再生音量をもとにしきい値を変更することを特徴とする請求項３に記載の決定装置。
【請求項５】
前記決定部は、受信対象の端末装置における音声信号の再生方法をもとにしきい値を変更することを特徴とする請求項３または４に記載の決定装置。
【請求項６】
前記決定部は、受信対象の端末装置の周辺の環境音量をもとにしきい値を変更することを特徴とする請求項３から５のいずれかに記載の決定装置。
【請求項７】
前記決定部は、所定グループに非所属の端末装置を使用するユーザの聴覚特性情報をもとにしきい値を変更することを特徴とする請求項３から６のいずれかに記載の決定装置。
【請求項８】
前記決定部は、受信対象の端末装置の電池残量をもとに、受信対象の端末装置を決定することを特徴とする請求項３から７のいずれかに記載の決定装置。
【請求項９】
前記決定部は、受信対象の端末装置における音声信号の再生に関する処理として、受信対象の端末装置が前記音声信号を受信した場合に実行すべき処理内容を決定することを特徴とする請求項１に記載の決定装置。
【請求項１０】
所定のグループへの音声信号の送信要求を受けつける入力部と、
所定のグループに属する複数の端末装置から、送信要求を出力した端末装置を除いた受信対象の端末装置と、所定グループに非所属の端末装置を使用するユーザとの間の距離をもとに、受信対象の端末装置における前記音声信号の再生に関する処理を決定する決定部と、
を備えることを特徴とする決定装置。
【請求項１１】
所定のグループへの音声信号の送信要求を受けつけるステップと、
所定のグループに属する複数の端末装置から、送信要求を出力した端末装置を除いた受信対象の端末装置と、所定グループに非所属の端末装置との間の距離をもとに、受信対象の端末装置における前記音声信号の再生に関する処理を決定するステップと、
を備えることを特徴とする決定方法。
【請求項１２】
所定のグループへの音声信号の送信要求を受けつけるステップと、
所定のグループに属する複数の端末装置から、送信要求を出力した端末装置を除いた受信対象の端末装置と、所定グループに非所属の端末装置を使用するユーザとの間の距離をもとに、受信対象の端末装置における前記音声信号の再生に関する処理を決定するステップと、
を備えることを特徴とする決定方法。
【発明の詳細な説明】
【技術分野】
【０００１】
本発明は、通信技術に関し、特に音声信号の再生に関する処理を決定する決定装置、決定方法に関する。
【背景技術】
【０００２】
グループでの秘話通信を実現するために、公開鍵と暗号鍵を用いた暗号化通信が実行されるとともに、当該暗号化通信に対してその鍵管理のためにデータベースや制御局が使用される。このような鍵管理によって安全性が確保される（例えば、特許文献１参照）。
【先行技術文献】
【特許文献】
【０００３】
【特許文献１】特開平１０−３３６７４５号公報
【発明の概要】
【発明が解決しようとする課題】
【０００４】
グループ通話では、受信対象の端末装置のスピーカから音声が出力されるので、通話の際にグループ外のユーザに漏れ聞こえてしまうおそれがある。
【０００５】
本発明はこうした状況に鑑みてなされたものであり、その目的は、グループ通話の受信端末における音声信号の再生に関する処理を適切に決定する技術を提供することである。
【課題を解決するための手段】
【０００６】
上記課題を解決するために、本発明のある態様の決定装置は、所定のグループへの音声信号の送信要求を受けつける入力部と、所定のグループに属する複数の端末装置から、送信要求を出力した端末装置を除いた受信対象の端末装置と、所定グループに非所属の端末装置との間の距離をもとに、受信対象の端末装置における音声信号の再生に関する処理を決定する決定部と、を備える。
【０００７】
本発明の別の態様もまた、決定装置である。この装置は、所定のグループへの音声信号の送信要求を受けつける入力部と、所定のグループに属する複数の端末装置から、送信要求を出力した端末装置を除いた受信対象の端末装置と、所定グループに非所属の端末装置を使用するユーザとの間の距離をもとに、受信対象の端末装置における音声信号の再生に関する処理を決定する決定部と、を備える。
【０００８】
本発明のさらに別の態様は、決定方法である。この方法は、所定のグループへの音声信号の送信要求を受けつけるステップと、所定のグループに属する複数の端末装置から、送信要求を出力した端末装置を除いた受信対象の端末装置と、所定グループに非所属の端末装置との間の距離をもとに、受信対象の端末装置における音声信号の再生に関する処理を決定するステップと、を備える。
【０００９】
本発明のさらに別の態様もまた、決定方法である。この方法は、所定のグループへの音声信号の送信要求を受けつけるステップと、所定のグループに属する複数の端末装置から、送信要求を出力した端末装置を除いた受信対象の端末装置と、所定グループに非所属の端末装置を使用するユーザとの間の距離をもとに、受信対象の端末装置における音声信号の再生に関する処理を決定するステップと、を備える。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
本発明によれば、グループ通話の受信端末における音声信号の再生に関する処理を適切に決定できる。
【図面の簡単な説明】
【００１２】
【図１】実施例１に係る通信システムの構成を示す図である。
【図２】図１の端末装置の構成を示す図である。
【図３】図２の端末装置において生成される位置通知のデータ構造を示す図である。
【図４】図１の通話制御装置の構成を示す図である。
【図５】図４の記憶部に記憶されるデータベースのデータ構造を示す図である。
【図６】図４の記憶部に記憶される別のデータベースのデータ構造を示す図である。
【図７】図１に続く処理に関する通信システムの構成を示す図である。
【図８】図２の端末装置において生成されるグループ通話送信要求のデータ構造を示す図である。
【図９】図４の通話制御装置において生成される送信先特定通話のデータ構造を示す図である。
【図１０】図７に続く処理に関する通信システムの構成を示す図である。
【図１１】実施例１に係る通信システムによる通信手順を示すシーケンス図である。
【図１２】変形例１に係る記憶部に記憶されるデータベースのデータ構造を示す図である。
【図１３】変形例２に係る記憶部に記憶されるデータベースのデータ構造を示す図である。
【図１４】変形例３に係る記憶部に記憶されるデータベースのデータ構造を示す図である。
【図１５】変形例４に係る記憶部に記憶されるデータベースのデータ構造を示す図である。
【図１６】実施例２に係る通話制御装置において生成される送信先及び処理特定通話のデータ構造を示す図である。
【図１７】実施例２に係る通信システムによる通信手順を示すシーケンス図である。
【発明を実施するための形態】
【００１３】
（実施例１）
本発明を具体的に説明する前に、まず概要を述べる。本発明の実施例１は、複数の端末装置が含まれたグループにおいてグループ通話を実行する通信システムに関する。グループ通話は、例えば、ＰＴＴ（Ｐｕｓｈ  ｔｏ  Ｔａｌｋ）によってなされ、ＰＴＴでは、ユーザが、ボタンを押下して会話を開始し、会話終了時にボタンを解放する。また、グループ中の１つの端末装置が音声信号を送信し、グループ中の他の端末装置が音声データを受信する。このようなグループ通話においてなされる通話の内容は、同一グループ内の端末装置を携帯するユーザだけに伝えたく、かつ他のグループ内の端末装置を携帯するユーザに伝えたくない場合がある。その際、同一グループ内の端末装置のみへのグループ通話を行っても、当該グループの端末装置が音声再生する音声が聞こえる位置に、他のグループ内の端末装置を携帯するユーザがいると、聞かれてしまう。これに対応するため本実施例では、所定のグループに属する端末装置と所定のグループに非所属の端末装置との距離をもとに、音声信号を送信すべき受信対象の端末装置を所定のグループ内から選択する。
【００１４】
図１は、通信システム１００の構成を示す。通信システム１００は、端末装置１０と総称される第１端末装置１０ａ、第２端末装置１０ｂ、第３端末装置１０ｃ、第４端末装置１０ｄ、第５端末装置１０ｅ、第６端末装置１０ｆ、第７端末装置１０ｇ、通話制御装置２０を含む。ここで、端末装置１０の数は「７」に限定されない。通信システム１００には、図示しない基地局装置が含まれる。基地局装置は、端末装置１０との間で無線通信を実行するとともに、通話制御装置２０との間で有線通信を実行する。そのため、基地局装置は、端末装置１０と通話制御装置２０との間の通信を中継する。このような通信システム１００の一例は業務用無線である。
【００１５】
各端末装置１０には、端末装置１０を識別するための識別情報（以下、「ＵＩＤ」という）が付与される。例えば、第１端末装置１０ａのＵＩＤは「１」であり、第２端末装置１０ｂのＵＩＤは「２」であり、第３端末装置１０ｃのＵＩＤは「３」である。さらに、複数の端末装置１０によってグループが形成される。各グループには、グループを識別するための識別情報（以下、「ＧＩＤ」という）が付与される。例えば、第１端末装置１０ａから第５端末装置１０ｅに対して「ＧＩＤ＝１」が設定され、第６端末装置１０ｆ、第７端末装置１０ｇに対して「ＧＩＤ＝２」が設定される。ＧＩＤ＝１のグループとＧＩＤ＝２のグループとは異なったグループである。各端末装置１０は、位置情報を取得し、位置情報が含まれた位置通知２００を通話制御装置２０に送信する。このような処理は定期的になされる。通話制御装置２０は、各端末装置１０からの位置通知２００を受信し、各端末装置１０の位置情報を管理する。
【００１６】
図２は、端末装置１０の構成を示す。端末装置１０は、位置情報取得部３０、送信指示部３２、音声入力部３４、音声出力部３６、制御部３８、記憶部４０、通信部４２を含む。記憶部４０は、本端末装置１０を識別するためのＵＩＤ、ＧＩＤを予め記憶する。位置情報取得部３０は、例えばＧＰＳ（Ｇｌｏｂａｌ  Ｐｏｓｉｔｉｏｎｉｎｇ  Ｓｙｓｔｅｍ）電波受信装置で構成され、端末装置１０の現在の位置情報を取得する。位置情報は、例えば、緯度、経度で構成される。
【００１７】
制御部３８は、位置通知２００を随時（例えば、１０秒毎）生成する。図３は、端末装置１０において生成される位置通知２００のデータ構造を示す。位置通知２００には、位置情報取得部３０において取得した位置情報が設定されるとともに、記憶部４０において記憶したＵＩＤが設定される。図２に戻る。通信部４２は、制御部３８において生成した位置通知２００を通話制御装置２０に送信する。図２における他の構成要素については後述する。
【００１８】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００１９】
図４は、通話制御装置２０の構成を示す。通話制御装置２０は、通信部５０、決定装置６０を含む。決定装置６０は、入力部７０、記憶部７２、決定部７４、出力部７６を含む。通信部５０は、基地局装置を介して端末装置１０との通信を実行する。入力部７０は、通信部５０を介して各端末装置１０からの位置通知２００を随時（例えば、１０秒毎）受けつける。入力部７０は、位置通知２００を記憶部７２に出力する。
【００２０】
記憶部７２は、データベースを記憶する。図５は、記憶部７２に記憶されるデータベースのデータ構造を示す。データベース（以下、「位置データベース」という）では、各端末装置１０のＵＩＤと位置情報とが対応づけられている。位置データベースは、入力部７０から受けつけた位置通知２００をもとに生成される。図６は、記憶部７２に記憶される別のデータベースのデータ構造を示す。別のデータベース（以下、「ＧＩＤデータベース」という）では、グループのＧＩＤと、当該グループに属する端末装置１０のＵＩＤが対応づけられている。図４における他の構成要素については後述する。
【００２１】
図７は、図１に続く処理に関する通信システム１００の構成を示す。ここでは、ＧＩＤ＝１のグループの中で、第１端末装置１０ａが送信側の端末装置１０に相当し、他の端末装置１０が受信対象の端末装置１０に相当する。端末装置１０は、グループ通話を開始するためにグループ通話送信要求２０２を通話制御装置２０に送信する。図２において、端末装置１０の送信指示部３２は、例えばＰＴＴボタンで構成され、ユーザの操作により押下状態と解放状態（非押下状態）に切りかわる。音声入力部３４は、例えばマイクで構成され、ユーザの発話を集音し電気信号に変換する。
【００２２】
制御部３８は、送信指示部３２の押下状態を検知し、押下状態を検知している間、グループ通話送信要求２０２を生成する。図８は、端末装置１０において生成されるグループ通話送信要求２０２のデータ構造を示す。グループ通話送信要求２０２の送信元ＵＩＤには、記憶部４０で記憶されているＵＩＤが設定される。グループ通話送信要求２０２の送信元ＧＩＤには、記憶部４０で記憶されているＧＩＤが設定される。グループ通話送信要求２０２の音声情報には、音声入力部３４で変換された電気信号の情報が設定される。図２に戻る。通信部４２は、制御部３８において生成したグループ通話送信要求２０２を通話制御装置２０に送信する。
【００２３】
図４の通話制御装置２０の入力部７０は、通信部５０を介して端末装置１０、例えば、第１端末装置１０ａからのグループ通話送信要求２０２を受けつける。グループ通話送信要求２０２は、所定のグループへの音声信号の送信要求といえる。入力部７０がグループ通話送信要求２０２を受けつけた場合、決定部７４は、次の処理を実行する。
【００２４】
（１）決定部７４は、入力部７０からグループ通話送信要求２０２を受けつける。
（２）決定部７４は、記憶部７２に記憶したＧＩＤデータベースを参照しながら、入力したグループ通話送信要求２０２の送信先ＧＩＤのグループに属する端末装置１０のＵＩＤを特定する。例えば、グループ通話送信要求２０２の送信先ＧＩＤが１である場合、ＵＩＤとして１、２、３、４、５が特定される。
（３）上記（２）で特定したＵＩＤの中に、グループ通話送信要求２０２の送信元ＵＩＤが含まれる場合、決定部７４は、当該ＵＩＤを当該特定したＵＩＤから除外する。例えば、グループ通話送信要求２０２の送信元ＵＩＤが１である場合、特定されるＵＩＤは、２、３、４、５となる。
（４）決定部７４は、受けつけたグループ通話送信要求２０２の送信先ＧＩＤのグループに非所属の端末装置１０のＵＩＤを、記憶部７２に記憶したＧＩＤデータベースを参照して特定する。例えば、グループ通話送信要求２０２の送信先ＧＩＤが１の場合、ＵＩＤとして６、７が特定される。
【００２５】
（５）上記（３）で特定したＵＩＤ毎に決定部７４は以下の判定を行う。
（５−１）決定部７４は、上記（３）で特定したＵＩＤに対応する位置情報で示される位置からしきい値以内に、上記（４）で特定したいずれかのＵＩＤに対応する位置情報で示される位置があるか否かを判定する。しきい値は、所定の距離αである。このようなしきい値は、図７において第２端末装置１０ｂに対して第２判定範囲１２ｂとして示される。第３判定範囲１２ｃから第５判定範囲１２ｅも同様である。例えば、ＵＩＤ=２の位置から所定の距離α以内に、ＵＩＤ=７の位置がある。ＵＩＤ=３の位置から所定の距離α以内に、ＵＩＤ=７の位置がある。ＵＩＤ=４の位置から所定の距離α以内には、ＵＩＤ=７および８の位置はない。ＵＩＤ=５の位置から所定の距離α以内には、ＵＩＤ=７および８の位置はない。
（５−２）決定部７４は、上記（５−１）の判定において、「位置はない」と判定されたＵＩＤを特定する。例えば、ＵＩＤ=４および５が特定される。
【００２６】
（６）決定部７４は、上記（５−２）で特定されたＵＩＤを送信先ＵＩＤとして決定する。例えば、送信先ＵＩＤとして４、５が決定される。ここで、端末装置１０は電池残量を定期的に通話制御装置２０に送信し、記憶部７２は各端末装置１０の電池残量を記憶してもよく、決定部７４は、受信対象の端末装置１０の電池残量をもとに、受信対象の端末装置１０を決定してもよい。その際、電池残量の少ない受信対象の端末装置１０が選択されないようにする。
【００２７】
つまり、決定部７４は、所定のグループに属する複数の端末装置１０から、送信要求を出力した端末装置１０を除いた受信対象の端末装置１０と、所定グループに非所属の端末装置１０との間の距離をもとに、音声信号を受信すべき受信対象の端末装置１０を決定する。ここで、音声信号を受信すべき受信対象の端末装置１０を決定することは、受信対象の端末装置１０における音声信号の再生に関する処理を決定することに相当する。なお、所定のグループに属する受信対象の端末装置１０と、所定グループに非所属の端末装置１０との間の距離としきい値との比較結果が使用される。ここでの距離は、位置情報２と位置情報６との距離、位置情報２と位置情報７との距離、位置情報３と位置情報６との距離、位置情報３と位置情報７との距離、位置情報４と位置情報６との距離、位置情報４と位置情報７との距離、位置情報５と位置情報６との距離、位置情報５と位置情報７との距離と示される。
【００２８】
（７）決定部７４は、送信先特定通話２０４を生成する。図９は、通話制御装置２０において生成される送信先特定通話２０４のデータ構造を示す。送信先特定通話２０４は、１または複数の送信先の端末装置１０を特定する送信先ＵＩＤと、音声情報とを含んで構成される。決定部７４は、送信先特定通話２０４の送信先ＵＩＤｓに、上記（６）で決定された送信先ＵＩＤを設定する。例えば、４、５が設定される。また、決定部７４は、送信先特定通話２０４の音声情報に、入力した音声情報を設定する。図４に戻る。出力部７６は、決定部７４で生成された送信先特定通話２０４を通信部５０に出力し、通信部５０は、送信先特定通話２０４を基地局装置を介して送信、例えばブロードキャスト送信する。
【００２９】
図１０は、図７に続く処理に関する通信システム１００の構成を示す。通話制御装置２０は、前述のごとく、送信先特定通話２０４をブロードキャスト送信するが、その宛先は第４端末装置１０ｄと第５端末装置１０ｅである。そのため、所定のグループに非所属の第６端末装置１０ｆ、第７端末装置１０ｇは、第４判定範囲１２ｄ、第５判定範囲１２ｅに含まれない。その結果、第４端末装置１０ｄと第５端末装置１０ｅから出力された音声が、第６端末装置１０ｆのユーザと第７端末装置１０ｇのユーザに聞かれにくくなる。
【００３０】
図２の端末装置１０の通信部４２は、通話制御装置２０から送信先特定通話２０４を受信する。制御部３８は、通信部４２で受信した送信先特定通話２０４の送信先ＵＩＤｓを入力する。制御部３８は、送信先ＵＩＤｓに設定されているＵＩＤのいずれか１つが、記憶部４０に記憶されているＵＩＤと一致するかを判定する。一致する場合、制御部３８は、送信先特定通話２０４の音声情報を入力する。なお、一致しない場合、制御部３８は、送信先特定通話２０４の音声情報を入力しない。音声出力部３６は、例えばスピーカで構成される。音声出力部３６は、制御部３８で音声情報を入力した時、当該音声情報に基づく音声を再生する。
【００３１】
以上の構成による通信システム１００の動作を説明する。図１１は、通信システム１００による通信手順を示すシーケンス図である。第１端末装置１０ａから第７端末装置１０ｇは、通話制御装置２０に位置通知２００を送信する（Ｓ１０〜Ｓ２２）。通話制御装置２０は、位置情報を記憶する（Ｓ２４）。第１端末装置１０ａは、グループ通話送信要求２０２を通話制御装置２０に送信する（Ｓ２６）。通話制御装置２０は、送信先特定通話２０４を生成する（Ｓ２８）。通話制御装置２０は、第１端末装置１０ａから第７端末装置１０ｇへ送信先特定通話２０４をブロードキャスト送信する（Ｓ３０〜Ｓ４２）。第１端末装置１０ａから第７端末装置１０ｇはＵＩＤ一致判定を実行する（Ｓ４４〜Ｓ５６）。第４端末装置１０ｄは音声を再生し（Ｓ５８）、第５端末装置１０ｅは音声を再生する（Ｓ６０）。
【００３２】
これまで、決定部７４は、受信対象の端末装置１０間の距離と、しきい値とを比較することによって、音声信号を受信すべき受信対象の端末装置１０を決定している。その際、しきい値は固定値とされている。状況に応じて、決定すべき受信対象の端末装置１０を調節するために、しきい値は可変であってもよい。以下では、しきい値を可変とすることについての変形例を説明する。
【００３３】
（変形例１）
図２において、各端末装置１０の制御部３８は、音声出力部３６において設定されている音声信号の再生音量に関する情報（以下、「音量設定情報」という）を取得する。また、制御部３８は、通信部４２を介して通話制御装置２０に音量設定情報を送信する。図４において、通話制御装置２０の通信部５０は、各端末装置１０からの音量設定情報を受信する。記憶部７２は、入力部７０を介して各端末装置１０からの音量設定情報を受けつけ、これを記憶する。図１２は、記憶部７２に記憶されるデータベースのデータ構造を示す。位置データベースに対して音量設定情報が追加される。例えば、音量設定情報の値が大きくなるほど、再生音量が大きくなる。図４に戻る。決定部７４は、上記（５−１）において、上記（３）で特定したＵＩＤの端末装置１０に設定されている音声信号の再生音量をもとにしきい値を変更する。例えば、再生音量が大きくなるほど、しきい値が大きくされる。
【００３４】
（変形例２）
図２において、各端末装置１０の制御部３８は、音声出力部３６において設定されている音声信号の再生方法に関する情報（以下、「再生方法情報」という）を取得する。ここで、音声信号の再生方法は、例えば、「ヘッドセット」、「スピーカ」である。また、制御部３８は、通信部４２を介して通話制御装置２０に再生方法情報を送信する。図４において、通話制御装置２０の通信部５０は、各端末装置１０からの再生方法情報を受信する。記憶部７２は、入力部７０を介して各端末装置１０からの再生方法情報を受けつけ、これを記憶する。図１３は、記憶部７２に記憶されるデータベースのデータ構造を示す。位置データベースに対して再生方法情報が追加される。例えば、ヘッドセットあるいはスピーカが示される。図４に戻る。決定部７４は、上記（５−１）において、上記（３）で特定したＵＩＤの端末装置１０に設定されている音声信号の再生方法をもとにしきい値を変更する。例えば、スピーカであれば所定のしきい値αに設定され、ヘッドセットであれば０ｍに設定される。
【００３５】
（変形例３）
図２において、各端末装置１０の制御部３８は、音声入力部３４を介して端末装置１０の周辺の環境音を取得する。また、制御部３８は、環境音の音量をもとに、環境音量に関する情報（以下、「環境音量情報」という）を生成する。また、制御部３８は、通信部４２を介して通話制御装置２０に環境音量情報を送信する。図４において、通話制御装置２０の通信部５０は、各端末装置１０からの環境音量情報を受信する。記憶部７２は、入力部７０を介して各端末装置１０からの環境音量情報を受けつけ、これを記憶する。図１４は、記憶部７２に記憶されるデータベースのデータ構造を示す。位置データベースに対して環境音量情報が追加される。例えば、環境音量情報の値が大きくなるほど、環境音量が大きくなる。環境音量が大きい状況は、雑音の多い状況に相当する。図４に戻る。決定部７４は、上記（５−１）において、受信対象の端末装置１０の周辺の環境音量をもとにしきい値を変更する。例えば、環境音量が大きくなるほど、しきい値が小さくされる。
【００３６】
（変形例４）
図４において、通話制御装置２０の記憶部７２には、受信対象の端末装置１０を使用するユーザの聴覚特性情報が記憶される。図１５は、記憶部７２に記憶されるデータベースのデータ構造を示す。位置データベースに対して聴覚特性情報が追加される。例えば、聴覚特性情報として、耳で聞き取れる最小の音の音圧レベル（最小可聴値）が示される。図４に戻る。決定部７４は、上記（５−１）において、受信対象の端末装置１０を使用するユーザの聴覚特性情報をもとにしきい値を変更する。例えば、最小可聴値が小さいほどしきい値を大きく、最小可聴値が大きいほどしきい値を小さくする。なお、ここでは、（４）で特定されたＵＩＤの端末装置１０に対する聴覚特性情報が使用される。
【００３７】
本実施例によれば、所定のグループに属する複数の端末装置から、送信要求を出力した端末装置を除いた受信対象の端末装置と、所定グループに非所属の端末装置との間の距離をもとに、受信対象の端末装置における音声信号の再生に関する処理を決定するので、これらの距離に応じた処理を実行できる。また、これらの距離に応じた処理が実行されるので、音声信号を受信すべき受信対象の端末装置を選択できる。また、音声信号を受信すべき受信対象の端末装置が選択されるので、所定のグループに非所属の端末装置のユーザが存在する場合に、グループ通話においてグループ外に音声が漏れることを抑制できる。また、受信対象の端末装置と、所定グループに非所属の端末装置との間の距離としきい値とを比較すればよいので、処理を簡易にできる。
【００３８】
また、受信対象の端末装置に設定されている音声信号の再生音量をもとにしきい値を変更するので、状況に応じて選択すべき端末装置の範囲を変更できる。また、受信対象の端末装置における音声信号の再生方法をもとにしきい値を変更するので、状況に応じて選択すべき端末装置の範囲を変更できる。また、受信対象の端末装置の周辺の環境音量をもとにしきい値を変更するので、状況に応じて選択すべき端末装置の範囲を変更できる。また、受信対象の端末装置を使用するユーザの聴覚特性情報をもとにしきい値を変更するので、状況に応じて選択すべき端末装置の範囲を変更できる。また、受信対象の端末装置の電池残量をもとに、受信対象の端末装置を決定するので、電池残量の少ない受信対象の端末装置での再生を回避しやすくできる。また、電池残量の少ない受信対象の端末装置での再生が回避しやすくなるので、そのような端末装置の駆動時間を長くできる。
【００３９】
（実施例２）
次に実施例２を説明する。実施例２は、実施例１と同様に、複数の端末装置が含まれたグループにおいてグループ通話を実行する通信システムに関する。実施例２では、受信対象の端末装置が音声信号を受信した場合に実行すべき処理内容を決定する。実施例２に係る通信システム１００は、図１、図７、図１０と同様のタイプであり、端末装置１０は図２と同様のタイプであり、通話制御装置２０は図４と同様のタイプである。ここでは、実施例１との差異を中心に説明する。
【００４０】
図４の通話制御装置２０の決定部７４は、実施例１と比較して（７）の処理のみ異なる。
（７）決定部７４は、送信先及び処理特定通話２０６を生成する。図１６は、通話制御装置２０において生成される送信先及び処理特定通話２０６のデータ構造を示す。送信先及び処理特定通話２０６は、送信先ＵＩＤと処理方法とを対応づけた１または複数の組と、一の音声情報を含んで構成される。送信先及び処理特定通話２０６の送信先ＵＩＤには、決定部７４における上記（３）で決定された送信先ＵＩＤが設定される。例えば、２、３、４、５が設定される。また、送信先及び処理特定通話２０６の処理方法には、決定部７４における（６）で決定されたＵＩＤに対応して「通常再生」が設定され、それ以外のＵＩＤに対して「音声記録」が設定される。また、送信先及び処理特定通話２０６の音声情報には、入力した音声情報が設定される。図４に戻る。このように決定部７４は、受信対象の端末装置１０における音声信号の再生に関する処理として、受信対象の端末装置１０が音声信号を受信した場合に実行すべき処理内容を決定する。出力部７６は、決定部７４で生成された送信先及び処理特定通話２０６を通信部５０に出力し、通信部５０は、送信先及び処理特定通話２０６を基地局装置を介して送信、例えばブロードキャスト送信する。
【００４１】
図２の端末装置１０の通信部４２は、通話制御装置２０から送信先及び処理特定通話２０６を受信する。制御部３８は、通信部４２で受信した送信先及び処理特定通話２０６の送信先ＵＩＤを入力する。制御部３８は、送信先ＵＩＤに設定されているＵＩＤのいずれか１つが、記憶部４０に記憶されているＵＩＤと一致するか判定する。一致する場合、制御部３８は、送信先及び処理特定通話２０６の当該ＵＩＤに対応する処理方法を入力する。なお、一致しない場合、制御部３８は、送信先及び処理特定通話２０６に対する処理を行わない。制御部３８は、入力した処理方法が「音声記録」の場合、処理特定通話２０６の音声情報を記憶部４０に記憶させる。制御部３８は、入力した処理方法が「通常再生」の場合、処理特定通話２０６の音声情報を音声出力部３６に再生させる。ユーザは図示しない記録音声再生指示部を操作することにより、記憶部４０に記憶された音声情報を音声出力部３６で再生させることができる。
【００４２】
以上の構成による通信システム１００の動作を説明する。図１７は、通信システム１００による通信手順を示すシーケンス図である。第１端末装置１０ａから第７端末装置１０ｇは、通話制御装置２０に位置通知２００を送信する（Ｓ１００〜Ｓ１１２）。通話制御装置２０は、位置情報を記憶する（Ｓ１１４）。第１端末装置１０ａは、グループ通話送信要求２０２を通話制御装置２０に送信する（Ｓ１１６）。通話制御装置２０は、送信先及び処理特定通話２０６を生成する（Ｓ１１８）。通話制御装置２０は、第１端末装置１０ａから第７端末装置１０ｇへ送信先及び処理特定通話２０６をブロードキャスト送信する（Ｓ１２０〜Ｓ１３２）。第１端末装置１０ａから第７端末装置１０ｇはＵＩＤ一致判定を実行する（Ｓ１３４〜Ｓ１４６）。第２端末装置１０ｂは音声を記録し（Ｓ１４８）、第３端末装置１０ｃは音声を記録し（Ｓ１５０）、第４端末装置１０ｄは音声を再生し（Ｓ１５２）、第５端末装置１０ｅは音声を再生する（Ｓ１５４）。
【００４３】
本実施例によれば、受信対象の端末装置が音声信号を受信した場合に実行すべき処理内容を決定するので、決定した処理内容に応じた処理を受信対象の端末装置に実行させることができる。また、通常再生させない音声信号を音声記録させるので、所定のグループに非所属の端末装置がしきい値の範囲内にいなくなってから音声を再生させることができる。
【００４４】
（実施例３）
次に実施例３を説明する。実施例３は、これまでと同様に、複数の端末装置が含まれたグループにおいてグループ通話を実行する通信システムに関し、音声信号を送信すべき受信対象の端末装置を選択する。これまでは、所定のグループに属する端末装置と所定のグループに属さない端末装置との距離をもとに選択がなされている。一方、実施例３では、所定のグループに属する端末装置と、所定のグループに属さない端末装置を使用するユーザとの距離をもとに選択がなされる。実施例３に係る通信システム１００は、図１、図７、図１０と同様のタイプであり、端末装置１０は図２と同様のタイプであり、通話制御装置２０は図４と同様のタイプである。ここでは、これまでとの差異を中心に説明する。
【００４５】
通信システム１００に含まれた端末装置１０を使用するユーザは、自己の位置情報を測定可能な装置を携帯する。当該装置において測定された位置情報は、通話制御装置２０に送信される。図４の通話制御装置２０の記憶部７２には位置データベースにおいて、各ユーザの位置情報も記憶される。決定部７４は、前述の（４）において特定したＵＩＤに対応した位置情報を（５−１）で使用する際に、当該ＵＩＤに対応した端末装置１０の位置情報ではなく、当該ＵＩＤに対応した端末装置１０を携帯するユーザの位置情報を使用する。これ以外の処理はこれまでと同様であるので、ここでは説明を省略する。つまり、決定部７４は、所定のグループに属する複数の端末装置１０から、送信要求を出力した端末装置１０を除いた受信対象の端末装置１０と、所定グループに非所属の端末装置１０を使用するユーザとの間の距離をもとに、受信対象の端末装置１０における音声信号の再生に関する処理を決定するといえる。
【００４６】
本実施例によれば、受信対象の端末装置と、所定グループに非所属の端末装置を使用するユーザとの間の距離をもとに、受信対象の端末装置における音声信号の再生に関する処理を決定するので、グループ通話においてグループ外に音声が漏れることを抑制できる。
【００４７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４８】
本実施例１乃至３において、通信システム１００は、業務用無線を使用している。しかしながらこれに限らず例えば、業務用無線以外の無線通信システムが使用されてもよい。本実施例によれば、構成の自由度を向上できる。
【００４９】
本実施例１乃至３において、決定装置６０は通話制御装置２０に含まれている。しかしながらこれに限らず例えば、決定装置６０は端末装置１０に含まれてもよい。この場合、複数の端末装置１０は互いに位置情報を収集するとともに、送信先特定通話２０４あるいは送信先及び処理特定通話２０６を生成して送信する。また、通話制御装置２０は不要となる。本実施例によれば、構成の自由度を向上できる。
【符号の説明】
【００５０】
１０  端末装置、  １２  判定範囲、  ２０  通話制御装置、  ３０  位置情報取得部、  ３２  送信指示部、  ３４  音声入力部、  ３６  音声出力部、  ３８  制御部、  ４０  記憶部、  ４２，５０  通信部、  ６０  決定装置、  ７０  入力部、  ７２  記憶部、  ７４  決定部、  ７６  出力部、  １００  通信システム。
【図１】
2018148330.tif 000003
【図２】
2018148330.tif 000004
【図３】
2018148330.tif 000005
【図４】
2018148330.tif 000006
【図５】
2018148330.tif 000007
【図６】
2018148330.tif 000008
【図７】
2018148330.tif 000009
【図８】
2018148330.tif 000010
【図９】
2018148330.tif 000011
【図１０】
2018148330.tif 000012
【図１１】
2018148330.tif 000013
【図１２】
2018148330.tif 000014
【図１３】
2018148330.tif 000015
【図１４】
2018148330.tif 000016
【図１５】
2018148330.tif 000017
【図１６】
2018148330.tif 000018
【図１７】
2018148330.tif 000019